(57)【要約】【課題】  観察環境下における表示装置の表示画像に基づいて作成された画像データを標準色空間に準拠した画像データに変換する画像処理方法および画像処理装置を提案する【解決手段】  観察環境下における表示装置の表示画像に基づいて作成された画像データを標準色空間に準拠した画像データに変換する画像処理方法であって、前記観察環境化における前記表示装置に関するパラメータを設定する環境設定工程と、入力画像の色信号を、前記パラメータに基づいて三刺激値に変換する三刺激値変換工程と、三刺激値を標準色空間上の色信号に変換する標準色空間変換工程とを有する。【選択図】  図１
2005123842.tif 000002
【特許請求の範囲】
【請求項１】
観察環境下における表示装置の表示画像に基づいて作成された画像データを標準色空間に準拠した画像データに変換する画像処理方法であって、前記観察環境化における前記表示装置に関するパラメータを設定する環境設定工程と、入力画像の色信号を、前記パラメータに基づいて三刺激値に変換する三刺激値変換工程と、三刺激値を標準色空間上の色信号に変換する標準色空間変換工程とを有することを特徴とする画像処理方法。
【請求項２】
前記色空間変換工程は前記入力画像の色信号を、前記標準色空間が規定される標準色空間環境下において前記表示装置に表示した場合に得られる三刺激値に変換する第１の工程と、該三刺激値を前記パラメータに基づいて補正する第２の工程とを有することを特徴とする請求項１に記載の画像処理方法。
【請求項３】
前記観察環境は観察照明環境および、観察位置、観察日時であり、前記標準観察環境とは、標準観察照明環境であることを特徴とする請求項２に記載の画像処理方法。
【請求項４】
前記パラメータは、前記表示装置の表示面における観察照明の反射の影響を示すことを特徴とする請求項３に記載の画像処理方法。
【請求項５】
前記パラメータは、前記反射の影響を示す三刺激値であることを特徴とする請求項４に記載の画像処理方法。
【請求項６】
前記パラメータは、前記観察環境下において前記表示装置に表示された基準色の測色結果であることを特徴とする請求項５に記載の画像処理方法。
【請求項７】
前記基準色は、黒色、白色および赤色、緑色、青色の一次色であることを特徴とする請求項６に記載の画像処理方法。
【請求項８】
前紀環境設定工程においては、前記パラメータをユーザがマニュアルで設定することを特徴とする請求項１に記載の画像処理方法。
【請求項９】
前記第２の変換工程においては、前記第１の変換工程で変換された三刺激値に前記パラメータとして設定された三刺激値を加算することを特徴とする請求項５に記載の画像処理方法。
【請求項１０】
前記環境設定工程においては、前記パラメータを、複数の観察環境について予め用意しておき、前記複数の観察環境のいずれかを選択し、該選択された観察環境に応じたパラメータを設定することを特徴とする請求項１に記載の画像処理方法。
【請求項１１】
観察環境下における表示装置の表示画像に基づいて作成された画像データを標準色空間に準拠した画像データに変換する画像処理装置であって、前記観察環境化における前記表示装置に関するパラメータを設定する環境設定手段と、入力画像の色信号を、前記パラメータに基づいて三刺激値に変換する三刺激値変換手段と、三刺激値を標準色空間上の色信号に変換する標準色空間変換手段とを有することを特徴とする画像処理装置。
【請求項１２】
前記色空間変換手段は前記入力画像の色信号を、前記標準色空間が規定される標準色空間環境下において前記表示装置に表示した場合に得られる三刺激値に変換する第１の手段と、該三刺激値を前記パラメータに基づいて補正する第２の手段とを有することを特徴とする請求項１に記載の画像処理装置。
【請求項１３】
前記観察環境は観察照明環境および、観察位置、観察日時であり、前記標準観察環境とは、標準観察照明環境であることを特徴とする請求項２に記載の画像処理装置。
【請求項１４】
前記パラメータは、前記表示装置の表示面における観察照明の反射の影響を示すことを特徴とする請求項３に記載の画像処理法。
【請求項１５】
前記パラメータは、前記反射の影響を示す三刺激値であることを特徴とする請求項４に記載の画像処理装置。
【請求項１６】
前記パラメータは、前記観察環境下において前記表示装置に表示された基準色の測色結果であることを特徴とする請求項５に記載の画像処理装置。
【請求項１７】
前記基準色は、黒色、白色および赤色、緑色、青色の一次色であることを特徴とする請求項６に記載の画像処理装置。
【請求項１８】
前紀環境設定手段においては、前記パラメータをユーザがマニュアルで設定することを特徴とする請求項１に記載の画像処理装置。
【請求項１９】
前記第２の変換手段においては、前記第１の変換手段で変換された三刺激値に前記パラメータとして設定された三刺激値を加算することを特徴とする請求項５に記載の画像処理装置。
【請求項２０】
前記環境設定手段においては、前記パラメータを、複数の観察環境について予め用意しておき、前記複数の観察環境のいずれかを選択し、該選択された観察環境に応じたパラメータを設定することを特徴とする請求項１に記載の画像処理装置。
【請求項２１】
表示装置と、観察環境下における該表示装置の表示画像に基づいて、作成された画像データを入力して標準色空間に準拠した画像データに変換する画像処理装置とを接続した画像処理システムであって、該画像処理装置は、前記観察環境下における前記表示装置に関するパラメータを設定する環境設定手段と入力画像の色信号を、前記パラメータに基づいて三刺激値に変換する三刺激値変換工程と、三刺激値の前記色信号を、前記標準環境下における前記標準色空間上の色信号へ変換する標準色空間変換手段とを有することを特徴とする画像処理システム。
【請求項２２】
善意色空間変換手段は、前記入力画像の色信号を、前記標準色空間が規定される標準環境下において前記表示装置に表示した場合に限られる三刺激値に変換する第一の変換手段と、該三刺激値を前記パラメータに基づいて補正する第２の変換手段とを有することを特徴とする請求項２１に記載の画像処理システム。
【請求項２３】
観察環境下における表示装置の表示画像に基づいて作成された画像データを標準色空間に準拠した画像データに変換する画像処理のプログラムであって、前記観察環境下における前記表示装置に関するパラメータを設定する環境設定工程のコードと、均等色空間上の色信号を標準色空間上の色信号へ変換する標準色空間変換工程のコードとを有することを特徴とするプログラム。
【請求項２４】
前記色空間変換工程のコードは、前記入力画像の色信号を、前記標準色空間が規定される標準環境下において前記表示装置に表示した場合に得られる三刺激値に変換する第１の変換工程コードと、該三刺激値を前記パラメータに基づいて補正する第２の変換工程コードとを有することを特徴とする請求項２１に、記載のプログラム。
【請求項２５】
請求項２３または２４に記載のプログラムを記録した記録媒体。
【発明の詳細な説明】
【技術分野】
【０００１】
本発明は、表示装置を観察環境下と標準環境下で再現性の良い表示画像を実現するための画像処理方法およい画像処理装置に属する。
【背景技術】
【０００２】
近年、カラーＤＴＰやインターネットの急激な発展によって、カラー画像の正確な色再現が強く求められるようになり、デバイス依存であった画像データの色を、複数デバイス間で統一して制御／管理することが必要となった。表示装置などのカラー画像データの正確な色再現を実現する方法の一つとして、カラー画像データを構成する標準的な画像色空間ｓＲＧＢ（ＩＥＣ６１９６６−２−１）が提案され、ＲＧＢカラーコードと測色値との対応および画像の観察条件が標準化されている。この標準空間ｓＲＧＢに準拠したカラー画像は、規定された観察条件下であれば標準ディスプレイに表示される画像と等しい色再現であることが期待される。
【特許文献１】特開平０３−１１０６８２号公報
【発明の開示】
【発明が解決しようとする課題】
【０００３】
ところが、上述した標準色空間ｓＲＧＢは、平均的なＣＲＴディスプレイの特性に基づいて制定されているが、その測色値との対応関係は、観察環境が暗黒下であることが前提となっている。すなわち、ディスプレイの管面反射光についてはなんら考慮されていないため、ディスプレイにおいて管面反射が生じた場合には、上述した管面反射の影響により、規格が意図する色味での再現ができないという問題があった。したがって、標準色空間に準拠する画像データをそのアピアランスが標準環境で意図したとおりになるように作成するためには、アピアランスを確認するためのディスプレイ表示を含む環境を暗黒下で行う必要があり非常に不便であった。本発明は上述した問題を解決するためになされたものであり、観察環境下における表示装置の表示画像に基づいて作成された画像データを標準色空間に準拠した画像データに変換する画像処理方法および画像処理装置を提案することを示す。
【課題を解決するための手段】
【０００４】
上記目的を達成するために、本発明の画像処理方法は以下の工程を備える。
【０００５】
すなわち、観察環境下における表示装置の表示画像に基づいて作成された画像データを標準色空間に準拠した画像データに変換する画像処理方法であって、観察環境下における表示装置の表示画像に基づいて作成された画像データを標準色空間に準拠した画像データに変換する画像処理方法であって、前記観察環境化における前記表示装置に関するパラメータを設定する環境設定工程と、入力画像の色信号を、前記パラメータに基づいて三刺激値に変換する三刺激値変換工程と、三刺激値を標準色空間上の色信号に変換する標準色空間変換工程とを有することを特徴とする。
【０００６】
例えば、前記色空間変換工程は前記入力画像の色信号を、前記標準色空間が規定される標準色空間環境下において前記表示装置に表示した場合に得られる三刺激値に変換する第１の工程と、該三刺激値を前記パラメータに基づいて補正する第２の工程とを有することを特徴とする。
【発明の効果】
【０００７】
以上説明したように本発明によれば、観察環境下の照明やモニタの経時変化による表示装置の表示画像に基づいて作成された画像データを標準色空間に準拠した画像データに変換するためのモニタキャリブレーション方法を、少ないパッチの測色によって実現することが可能となる。
【発明を実施するための最良の形態】
【０００８】
（第一の実施形態）
以下本発明に係る一実施形態について、図面を参照して詳細に説明する。
【０００９】
図１は、本実施形態の画像処理装置１００にディスプレイが接続されている様子を示し、画像処理装置１００においては、特に入力されたカラー画像データに対して色変換処理を施すためのブロック構成を示す図である。本実施形態においては、暗黒下においてディスプレイ１０３上の表示画像を参照して作成（または編集）されたカラー画像データを、画像処理装置１００においｓＲＧＢの標準色空間に準拠した画像データに変換することを特徴とする。図１においてディスプレイシミュレーション部１０１は、入力されたカラー画像の色信号［Ｒｉ、Ｇｉ、Ｂｉ］に基づき、該画像信号の作成時に、暗黒下においてディスプレイに表示されていたであろう色（測色値）［Ｘｉ、Ｙｉ、Ｚｉ］を推測する。一般に暗黒下と比較して観察照明下での色再現範囲においては、ディスプレイの管面反射の影響により明度の上昇と彩度の低下が生じる。色信号変換部は１０３は、標準色空間の規定に従い、上記測色値［Ｘｏ、Ｙｏ、Ｚｏ］に対応する色信号［Ｒｏ、Ｇｏ、Ｂｏ］を求める。以上のように、入力されたカラー画像信号［Ｒｉ、Ｇｉ、Ｂｉ］は観察照明下においてディスプレイ１０３に表示された画像であるが、該信号が上記処理によって、標準色空間に準拠した信号［Ｒｏ、Ｇｏ、Ｂｏ］へ変換される。
【００１０】
図２は、ディスプレイシミュレーション部１０１の詳細構成を示すブロック図である。同図においてＸＹＺ変換部２０１は、ディスプレイ１０３の色再現特性を記述したモニタプロファイル２０４を参照して、入力色信号［Ｒｉ、Ｇｉ、Ｂｉ］を暗黒下でディスプレイに表示した際の三刺激値［Ｘｉ、Ｙｉ、Ｚｉ］に変換する。次に、黒レベル設定部２０５は、観察照明下における色信号［Ｒｉ、Ｇｉ、Ｂｉ］＝［０、０、０］の三刺激値［Ｘ０、Ｙ０、Ｚ０］をユーザから受け取り黒レベル補正部２０２において、上記黒レベル補正部［Ｘ０、Ｙ０、Ｚ０］と、暗黒下でディスプレイ１０３に表示させた際の三刺激値［Ｘｉ、Ｙｉ、Ｚｉ］に基づいて、観察照明下でディスプレイ１０３に表示させた際の色の三刺激値［Ｘｅ、Ｙｅ、Ｚｅ］を求める。以下、図２の各構成について、さらに詳細に説明する。図３は、ＸＹＺ変換部２０１の詳細構成を示すブロック図である。ガンマ変換部３０１は、入力色信号［Ｒｉ、Ｇｉ、Ｂｉ］を輝度に線形なＲＧＢ信号［Ｒｌ、Ｇｌ、Ｂｌ］に変換する。ガンマ特性を有するディスプレイに表示されることを意図された画像データは、該表示の際に適正な輝度で表示されるように、予め逆ガンマ特性を持つように規定されている。ｓＲＧＢ空間においては、以下の式（１）、（２）、（３）により［Ｒｌ、Ｇｌ、Ｂｌ］を算出する。
【００１１】
【数１】
2005123842.tif 000003
【００１２】
ここで、もし、Ｒ’、Ｇ’、Ｂ’＜０．０４０４５であれば、
【００１３】
【数２】
2005123842.tif 000004
【００１４】
とし、Ｒ’、Ｇ’、Ｂ’＞０．０４０４５であれば、
【００１５】
【数３】
2005123842.tif 000005
【００１６】
とする。表色系変換部３０２は、線形なＲＧＢ信号［Ｒｌ、Ｇｌ、Ｂｌ］を３×３マトリクス演算によってＸＹＺ表色系に変換する。この変換マトリクスは、ＲＧＢ原刺激のＸＹＺ表色系における色度座標、および白色刺激により求められる。なお、ｓＲＧＢ色空間においては、ＩＴＵ−Ｒ  ＢＴ．７０９に基づくリファレンスプライマリと白色点Ｄ６５の色度座標から式（４）によって三刺激値［Ｘｉ、Ｙｉ、Ｚｉ］を求める。
【００１７】
【数４】
2005123842.tif 000006
【００１８】
ディスプレイ１０３が、ｓＲＧＢとは異なる独自のガンマおよびプライマリ色度点を有する場合は、これらの値がモニタプロファイル２０４に格納され、色信号［Ｒｉ、Ｇｉ、Ｂｉ］と三刺激値［Ｘｉ、Ｙｉ、Ｚｉ］の変換において参照される。例えば、式（４）におけるマトリクスの値や、［Ｒｉ、Ｇｉ、Ｂｉ］と［Ｒｌ、Ｇｌ、Ｂｌ］を変換する指数関数の指数部またはＲｉとＲｌ、ＧｉとＧｌ、ＢｉとＢｌとの対応テーブルが、モニタプロファイル２０４に格納される。また、ディスプレイ１０３が上記ガンマと表色系の変換モデルに適合しない場合には、色信号［Ｒｉ、Ｇｉ、Ｂｉ］とこれに対応する三刺激値［Ｘｉ、Ｙｉ、Ｚｉ］によって作成される３次元ＬＵＴをモニタプロファイル２０４に格納し、これを参照／補間することで両者間の変換を行なっても良い。
【００１９】
図４は、黒レベル設定部２０５における詳細処理を示すフローチャートである。黒レベル設定部２０５においては、まず黒色を示す色信号［Ｒｉ、Ｇｉ、Ｂｉ］＝［０、０、０］を観察照明下でディスプレイに表示し（ステップＳ４０１）、該表示画像を放射輝度計等で測定することによって三刺激値［Ｘ０、Ｙ０、Ｚ０］を得る（ステップＳ４０２）。ここで、得られた三刺激値は、すなわち、観察照明下におけるディスプレイ１０３の管面反射の影響として測色された値である。次に、ユーザは該三刺激値［Ｘ０、Ｙ０、Ｚ０］を黒レベル設定ユーザインターフェース（ＵＩ）を用いて設定する（ステップＳ４０３）。図５は、上記ステップＳ４０３における黒レベル設定ＵＩ画面の一例を示す図である。同図において、５１は三刺激値のＸ設定部、５２はＹ設定部、５３はＺ設定部、５４は設定ボタン、５５はキャンセルボタンであるこの画面においてユーザはカーソル５６を任意に移動することが可能であり、これによりＸ設定部５１、Ｙ設定部５２、Ｚ設定部５３に対して、観察照明下における黒レベル［Ｘ０、Ｙ０、Ｚ０］の各成分をそれぞれ入力する設定ボタン５４が押下されると、入力されたＸ０、Ｙ０、Ｚ０が設定され、以後この設定値［Ｘ０、Ｙ０、Ｚ０］が後述する黒レベル補正部２０２において使用される。なお、キャンセルボタンが押下されると現在の入力値は無視され、以前の設定値が用いられる。黒レベルの初期設定値は例えば［Ｘ０、Ｙ０、Ｚ０］＝［０、０、０］であり、この場合、黒レベル補正部２０２において実質的な黒レベル補正が行なわれない。黒レベル補正部２０２では、不図示の標準的なディスプレイ暗黒下で再現されることが期待される色の三刺激値［Ｘｉ、Ｙｉ、Ｚｉ］をＸＹＺ変換部２０１から受け取り、黒レベル設定部２０５による設定値［Ｘ０、Ｙ０、Ｚ０］を用いて、式（５）によって、暗黒下の標準ディスプレイにおける表示色の三刺激値を［Ｘｅ、Ｙｅ、Ｚｅ］を推定する。
【００２０】
【数５】
2005123842.tif 000007
【００２１】
以上のように黒レベル補正部２０２では観察照明下の管面反射の影響を示す黒レベル設定値［Ｘ０、Ｙ０、Ｚ０］に基づき、暗黒下の標準ディスプレイにおいて再現される色［Ｘｅ、Ｙｅ、Ｚｅ］を予測して出力することができる。
【００２２】
図６は、モニタ変動設定部２０６における詳細処理を示すフローチャートである。モニタ変動設定部２０５においては、観察環境下におけるリファレンスプライマリおよび白色を示す色信号［Ｒｉ、Ｇｉ、Ｂｉ］＝［２５５、０、０］を観察環境下でディスプレイに表示し（ステップＳ７０１）、該表示画像を放射輝度計等で測定することによって三刺激値［ＸＲ、ＹＲ、ＺＲ］を得る（ステップＳ６０２）。次に、Ｇチャネルのリファレンスプライマリ［Ｒｉ、Ｇｉ、Ｂｉ］＝［０、２５５、０］を表示する（ステップＳ６０３）、次に該表示画像を放射輝度計等で測定することによって三刺激値［ＸＧ、ＹＧ、ＺＧ］を得る（ステップＳ６０４）。次に、Ｂチャネルのリファレンスプライマリ［Ｒｉ、Ｇｉ、Ｂｉ］＝［０、０、２５５］を表示する（ステップＳ６０５）。次に該表示画像を放射輝度計等で測定することによって三刺激値［ＸＢ、ＹＢ、ＺＢ］を得る（ステップＳ６０６）。次に、白色［Ｒｉ、Ｇｉ、Ｂｉ］＝［２５５、２５５、２５５］を表示する（ステップＳ６０７）。次に該表示画像を放射輝度計等で測定することによって三刺激値［Ｘｗ、Ｙｗ、Ｚｗ］を得る（ステップＳ６０８）。ここで、得られた三刺激値は、すなわち、観察環境下におけるディスプレイ１０３の測色値である。次に、ユーザは該三刺激値［Ｘｄ、Ｙｄ、Ｚｄ］（ｄ＝Ｒ、Ｇ、Ｂ、Ｗ）をモニタ変動設定ユーザインターフェース（ＵＩ）を用いて設定する（ステップＳ６０９）。図７は、上記ステップＳ６０９におけるモニタ変動設定ＵＩ画面の一例を示す図である。同図において、７０１は三刺激値のＸＲ設定部、７０２はＹＲ設定部、７０３はＺＲ設定部、７０４は三刺激値のＸＧ設定部、７０５はＹＧ設定部、７０６はＺＧ設定部、７０７は三刺激値のＸＢ設定部、７０８はＹＢ設定部、７０９はＺＢ設定部、７１０は三刺激値のＸＷ設定部、７１１はＹＷ設定部、７１２はＺＷ設定部、７１３は設定ボタン、７１４はキャンセルボタンであるこの画面においてユーザはカーソル７１５を任意に移動することが可能であり、これにより７０１から７１２の各設定部に対して、観察環境下のリファレンスプライマリと白色の三刺激値［Ｘｄ、Ｙｄ、Ｚｄ］（ｄ＝Ｒ、Ｇ、Ｂ、Ｗ）の各成分をそれぞれ入力する設定ボタン５４が押下されると、入力されたＸｄ、Ｙｄ、Ｚｄが設定され、以後この設定値［Ｘｄ、Ｙｄ、Ｚｄ］が後述するモニタ変動補正部２０３において使用される。なお、キャンセルボタンが押下されると現在の入力値は無視され、以前の設定値が用いられる。モニタ変動の初期設定値は、例えばＲＧＢプライマリカラーと白色のｓＲＧＢ色空間の値であり、この場合、モニタ変動補正部２０３において実質的なモニタ変動補正が行なわれない。モニタ変動補正部２０３では、モニタ変動設定部２０６による設定値［Ｘｄ、Ｙｄ、Ｚｄ］  （ｄｉ＝Ｒ、Ｇ、Ｂ、Ｗ）と黒レベル設定部２０２で設定された値を用いて、式（６）によって、モニタ変動を測定するために、リファレンスプライマリカラのー表示色の三刺激値を［Ｘｅ’ｄ、Ｙｅ’ｄ、Ｚｅ’ｄ］  （ｄ＝Ｒ、Ｇ、Ｂ、Ｗ）を推定する。
【００２３】
【数６】
2005123842.tif 000008
【００２４】
次に、式（６）で推定された三刺激値［Ｘｅ’ｄ、Ｙｅ’ｄ、Ｚｅ’ｄ］  （ｄ＝Ｒ、Ｇ、Ｂ、Ｗ）から、式（）にしたがって、三刺激値［Ｘｅ’、Ｙｅ’、Ｚｅ’］と色信号［Ｒｏ、Ｇｏ、Ｂｏ］の変換行列を算出する。
【００２５】
【数７】
2005123842.tif 000009
【００２６】
ここで、Δｉｊはｉ行ｊ列の小行列式を表す。また、Ｍ１、Ｍ２、Ｍ３は式（８）で与えられる。
【００２７】
【数８】
2005123842.tif 000010
【００２８】
式（８）において［ｘｗ、ｙｗ、ｚｗ］は白色の三刺激値［Ｘｅ’ｗ、Ｙｅ’ｗ、Ｚｅ’ｗ］から式（９）によって計算される。
【００２９】
【数９】
2005123842.tif 000011
【００３０】
また、Ｓｗは白色の三刺激値の刺激和である。次に式（７）で算出された変換行列と式（４）の各成分を比較し、成分の差の最大値が０．０００１を超えるか否かを判断し、超えない場合にはそのまま終了し、超える場合には暗黒下で再キャリブレーションする旨をディスプレイに表示して終了する。
【００３１】
図６は、色信号変換部１０３の詳細構成を示すブロック図である。同図において、表色系変換部８０１およびガンマ変換部においては、ｓＲＧＢ色空間の規定に基づき、三刺激値［Ｘ０、Ｙ０、Ｚ０］と色信号［Ｒｏ、Ｇｏ、Ｂｏ］の相互変換を行なう。まず表色系変換部では、以下に示す式（１０）によって［Ｘ０、Ｙ０、Ｚ０］を［Ｒｌ’、Ｇｌ’、Ｂｌ’］に変換する。
【００３２】
【数１０】
2005123842.tif 000012
【００３３】
次に、ガンマ変換部６０２において、次式によって［Ｒｏ、Ｇｏ、Ｂｏ］を求める。もしＲ’、Ｇ’、Ｂ’＜＝０．０４０４５であれば、
【００３４】
【数１１】
2005123842.tif 000013
【００３５】
【数１２】
2005123842.tif 000014
【００３６】
以上説明したように本実施形態によれば、観察照明のディスプレイ１０３における管面反射の影響を取得し、これを用いて観察照明下のディスプレイ１０３に実際に再現された色を予測することが可能となる。さらに黒レベルと観察環境下でのリファレンスプライマリおよび白色点から三刺激値と色信号の変換行列を算出し、暗黒下での成分と比較し、規定値を超えるかによって再キャリブレーションを判断することで、簡単な測定とＵＩによる設定により、モニタキャリブレーションを容易に行なうことが可能である。
【００３７】
＜他の実施形態＞
上述した実施形態においては、観察環境下の黒レベル（三刺激値）を実際に放射輝度計等で測定する例について説明したが、予め一般的な照明下における黒レベルをモニタプロファイル２０４に格納しておき、このリストから観察環境に最も適した１条件をユーザに判断させても良い。例えば、一般照明下（例えば高演色性昼白色蛍光灯（５０００Ｋ）および白色蛍光灯（４２００Ｋ）の５００ｌｘ、１０００ｌｘ、１５００ｌｘ、２０００ｌｘ）における黒レベルを格納しておく。そして黒レベル設定部２０５では、照明選択ＵＩによってモニタプロファイル５０４に保持される照明リストをユーザに提示し、ユーザは安価な照度計と使用蛍光ランプの種類に基づいて観察環境に最も適した１条件を選択し、そして選ばれた条件に対応する黒レベルが設定される。上記照明ＵＩは、例えばプルダウンリストやラジオボタンによって実装される。このように、予め所定の照明条件を格納しておくことにより、高価な輝度計を用いることなく、観察環境に対応した黒レベルを設定することが可能となる。さらに、平均的なディスプレイ観察環境の黒レベルを予め特定しておき、黒レベル設定部２０５における設定値を該特定された値に固定するか、またはデフォルトの値としてもよい。また、上述した実施形態では、黒レベル補正部２０２において、観察照明の影響を色信号［Ｒｉ、Ｇｉ、Ｂｉ］＝［０、０、０］における三刺激値を用いて補正する例を示したが、［０、０、０］以外の値を用いても良いことは言うまでもない。また、用準色空間がｓＲＧＢ空間であることを仮定したが、観察照明条件および信号値と測色値との関係が規定された同等の色空間、カラーコードにおいても、本発明の目的は同様に達成される。さらに本発明の目的は、上記実施形態の機能を実現するソフトウェアのプログラムコードを記録した記録媒体を、システムあるいは装置に供給し、そのシステムあるいは装置のコンピュータ（またはＣＰＵまたはＭＰＵ）が記録媒体に格納されたプログラムコードを読み出し実行することによっても達成されることは言うまでもない。この場合、記録媒体から読み出されたプログラムコード自体が上記実施形態の機能を実現することになり、そのプログラムコードを記憶した記憶媒体は本発明を構成することになる。プログラムコードを供給するための記憶媒体としては、例えばフロッピー（登録商標）、ディスク、ハードディスク、光ディスク、磁気ディスクＣＤ−ＲＯＭ、ＣＤ−Ｒ、磁気テープ、不揮発性メモリ、ＲＯＭなどを用いることができる。また、コンピュータが読み出したプログラムコードを実行することにより、上記実施形態の機能が実現されるだけでなく、そのプログラムコードの指示に基づき、コンピュータ上で稼動しているＯＳ（オペレーティングシステム）などが実際の処理の一部を行い、その処理によって上記実施形態の機能が実現される場合も含まれることはいうまでもない。さらに、記憶媒体から読み出されたプログラムコードが、コンピュータに挿入された機能拡張ボードやコンピュータに接続された機能拡張ユニットに備わるメモリに書き込まれた後、その機能拡張ボードや機能拡張ユニットに備わるＣＰＵなどが実際の処理の一部または全部を行い、その処理によって上記実施形態の機能が実現される場合も含まれることは言うまでもない。
【図面の簡単な説明】
【００３８】
【図１】本発明に係る一実施形態の画像処理装置において色変換処理のための構成を示すブロック図である。
【図２】ディスプレイシミュレーション部の詳細構成を示すフローチャートである。
【図３】ＸＹＺ部変換部の詳細構成を示すブロック図である。
【図４】黒レベル設定時における処理手順を示すフローチャートである。
【図５】黒レベル設定ＵＩ画面の一例を示す図である。
【図６】モニタ変動設定時における処理手順を示すフローチャートである。
【図７】モニタ変動設定時におけるＵＩ画面の一例を示す図である。
【図８】ディスプレイシミュレーション部の詳細構成を示すブロック図である。
【符号の説明】
【００３９】
１０１  ディスプレイシミュレーション部
１０２  色信号処理部
１０３  ディスプレイ
２０１  ＸＹＺ変換部
２０２  黒レベル補正部
２０３  モニタ変動補正部
２０４  モニタプロファイル
２０５  黒レベル設定部
２０６  モニタ変動設定部
３０１  ガンマ変換部
３０２  表色系変換部
５０１  Ｘ設定部
５０２  Ｙ設定部
５０３  Ｚ設定部
５０４  設定ボタン
５０５  キャンセルボタン
５０６  カーソル
７０１  ＸＲ設定部
７０２  ＹＲ設定部
７０３  ＺＲ設定部
７０４  ＸＧ設定部
７０５  ＹＧ設定部
７０６  ＺＧ設定部
７０７  ＸＢ設定部
７０８  ＹＢ設定部
７０９  ＺＢ設定部
７１０  ＸＷ設定部
７１１  ＹＷ設定部
７１２  ＺＷ設定部
７１３  設定ボタン
７１４  キャンセルボタン
７１５  カーソル
８０１  表色系変換部
８０２  ガンマ変換部
【図１】
2005123842.tif 000015
【図２】
2005123842.tif 000016
【図３】
2005123842.tif 000017
【図４】
2005123842.tif 000018
【図５】
2005123842.tif 000019
【図６】
2005123842.tif 000020
【図７】
2005123842.tif 000021
【図８】
2005123842.tif 000022